【事件の表示】
　特許第２７８１８３３号「ファクシミリ装置」の特許に対する特許異議の申立てについて、次のとおり決定する。
【結論】
　訂正を認める。
　特許第２７８１８３３号の特許を維持する。
【理由】
Ｉ　手続きの経緯
　本件特許第２７８１８３３号発明（以下「本件特許発明」という）は、昭和６０年６月１４日に特許出願され、平成１０年５月２２日にその特許の設定登録がなされたものであり、その後、平成１１年１月２６日にシャープ株式会社より特許異議の申立てがなされ、平成１１年５月１０日に取消理由通知がなされ、平成１１年７月１９日に訂正請求がなされたものである。
ＩＩ　訂正の適否
１　訂正の要旨
　前記訂正の要旨は、本件特許発明の明細書を訂正請求書に添付された訂正明細書の通り、すなわち下記の通り訂正することを求めるものである。
　　　　　　　　　記
　訂正事項ａ
　明細書の特許請求の範囲の記載「１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、この第２のメモリ書込制御手段の動作中に前記第１のメモリ書込制御手段を動作させ、前記受信データの受信と前記送信原稿の読取とを並行して実行することを特徴とするファクシミリ装置。」を、
　「１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、を具備し，この第２のメモリ書込制御手段による受信データの記憶動作の実行中に操作パネルからの読取指示があった場合，前記第１のメモリ書込制御手段を動作させ、前記受信データの受信と前記送信原稿の読取とを並行して実行することを特徴とするファクシミリ装置。」
と訂正する。
　訂正事項ｂ
　明細書の段落【０００４】の「【課題を解決するための手段】　本発明は上記課題を解決するため、読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、この第２のメモリ書込制御手段の動作中に前記第１のメモリ書込制御手段を動作させ、前記受信データの受信と前記送信原稿の読取とを並行して実行する構成とした。
　この構成により、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。また、データをメモリ受信している最中であっても原稿の読込みを開始することができるため、オペレータの操作性も向上する。
　尚、読取データを蓄積するメモリと受信データを蓄積するメモリとは、別個に設けてもよいし、同一のメモリであってもよい。要は、第２のメモリ書込制御手段の動作中に第１のメモリ書込制御手段を動作させることのできるメモリ構成であればよい。」を
　「【課題を解決するための手段】　本発明は上記課題を解決するため、読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、を具備し，この第２のメモリ書込制御手段による受信データの記憶動作の実行中に操作パネルからの読取指示があった場合、前記第１のメモリ書込制御手段を動作させ、前記受信データの受信と前記送信原稿の読取とを並行して実行する構成とした。
　この構成により、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。また、データをメモリ受信している最中であっても原稿の読込みを開始することができるため、オペレータの操作性も向上する。
　尚、読取データを蓄積するメモリと受信データを蓄積するメモリとは、別個に設けてもよいし、同一のメモリであってもよい。要は、第２のメモリ書込制御手段の動作中に第１のメモリ書込制御手段を動作させることのできるメモリ構成であればよい。」と訂正する。
２　訂正の目的・範囲の適否と拡張・変更の存否
　前記訂正事項ａ、ｂについて検討する。
　前記訂正事項ａは、特許請求の範囲の減縮を目的とするものであり、前記訂正事項ｂは、訂正事項ａの特許請求の範囲の減縮に伴い【課題を解決するための手段】の項を明瞭にしたものであるから、明瞭でない記載の釈明を目的とするものである。
　そして、前記各訂正は、願書に添付した明細書又は図面に記載した事項の範囲内であり、実質上特許請求の範囲を拡張し又は変更するものでない。
３　独立特許要件の存否
▲１▼　訂正後の本件特許発明
　訂正後の本件特許発明の目的、効果は「読取部と記録部との双方を同時に稼働させ」て「ファクシミリ装置全体の利用効率を向上させる」こと、「データをメモリ受信している最中であっても原稿の読み込みを開始することができるため、オペレータの操作性も向上する」であり、その発明の構成は、「１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、を具備し，この第２のメモリ書込制御手段による受信データの記憶動作の実行中に操作パネルからの読取指示があった場合，前記第１のメモリ書込制御手段を動作させ、前記受信データの受信と前記送信原稿の読取とを並行して実行することを特徴とするファクシミリ装置。」
である。
▲２▼　甲号証記載発明
　甲第１号証特願昭６０−８７７８５号（特開昭６１−２４５７６４号公報）の願書に最初に添付した明細書および図面には、「コントロールＣは、主に、画像読取部１００からの読取データを相手局に送信する送信系と、相手局から受けたデータをレーザプリンタ２００に送る受信系と、所定の画像データを記憶する画像メモリ１０と、コントローラＣの全体を制御するＣＰＵ５０とで構成されている。」（公開公報２頁右下欄６〜１１行）、「受信時には、１頁分のデータを記憶してからデコーダ４４にその記憶データを送る。」（同３頁左上欄１６〜１８行）、「受信の場合（ｓ６１）には、ＣＣＵ３０を受信にセットし（ｓ６２）、受信データをＭＭＲデコーダ４１によって中間コードに変換し、その中間コードを画像メモリ１０に格納し（ｓ６３）、」（同３頁右下欄２０行〜４頁左上欄４行）、「画像メモリ１０は、１つのメモリであるが、蓄積メモリエリアと即時メモリエリアとに使用されるものである。・・即時メモリエリアは、ＦＩＦＯ動作・・を基本として、所定の中間コードに対して、書き込み／読み取りの同時動作を行うためのものである。この中間コードとしては、・・受信のためのコードが考えられる。」（同４頁右上欄１２行〜左下欄１０行）、「なお、所定画像を読み取ったデータを蓄積メモリエリアに蓄積しているときに、着信を許容する着信許容手段を設けるようにしてもよい。」（同４頁右下欄１１〜１３行）、とする発明が記載されている。
▲３▼　訂正後の本件特許発明の新規性・進歩性
　甲第１号証には訂正後の本件特許発明の構成要素である「第２のメモリ書込制御手段による受信データの記憶動作の実行中に操作パネルからの読取指示があった場合，前記第１のメモリ書込制御手段を動作させ」る点は記載されていない。そして、訂正後の本件特許発明は、前記の点により上記目的・効果を奏する。従って、訂正後の本件特許発明が、甲第１号証に記載された発明と同一であるとすることができない。
▲４▼　独立特許要件の存否
　▲１▼〜▲３▼を総合して判断すると、訂正後における特許請求の範囲に記載されている事項に係る発明について、特許出願の際独立して特許を受けることができない発明とすることはできない。
４　訂正の適否
　１〜３を総合して判断すると、前記訂正請求は、特許法第１２０条の４第２項第１号乃至第３号に掲げる事項を目的とし、且つ同条第３項で準用する特許法第１２６条第２項乃至第４項の規定に適合するので、当該訂正を認める。
ＩＩＩ　特許異議の申立てについて
１　特許異議申立の理由の要旨
　本件特許発明は、甲第１号証である特願昭６０−８７７８５号（特開昭６１−２４５７６４号公報）の願書に最初に添付した明細書および図面（以下、「先願明細書」という。）に記載された発明と同一であると認められ、しかも、本件特許請求の範囲記載発明の発明者が上記先願明細書に記載された発明の発明者と同一であるとも、この出願の時において、その出願人が上記他の出願の出願人と同一であるとも認められないので、本件特許請求の範囲記載発明の特許は特許法２９条の２の規定に違反してなされたものである。
２　特許異議申立の理由の適否
　訂正後の本件特許発明は、上記ＩＩの３で詳細に述べた様に、取消理由通知で示した刊行物である甲第１号証に記載された発明と同一であるとすることはできない。
　尚、他に本件特許を取り消すべき理由を発見しない。
Ｖ　結び
　以上述べたとおりであるから、前記訂正請求はこれを認め、特許異議の申立は理由がなく、他に本件特許を取り消すべき理由を発見しない。
　よって、結論のとおり決定する。
【異議決定日】
平成１１年８月１７日（１９９９．８．１７）
【訂正の要旨】
　訂正の要旨
　訂正事項ａ
　明細書の特許請求の範囲の記載「１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、この第２のメモリ書込制御手段の動作中に前記第１のメモリ書込制御手段を動作させ、前記受信データの受信と前記送信原稿の読取とを並行して実行することを特徴とするファクシミリ装置。」を、
　「１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、を具備し，この第２のメモリ書込制御手段による受信データの記憶動作の実行中に操作パネルからの読取指示があった場合，前記第１のメモリ書込制御手段を動作させ、前記受信データの受信と前記送信原稿の読取とを並行して実行することを特徴とするファクシミリ装置。」
と訂正する。
　訂正事項ｂ
　明細書の段落【０００４】の「【課題を解決するための手段】　本発明は上記課題を解決するため、読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、この第２のメモリ書込制御手段の動作中に前記第１のメモリ書込制御手段を動作させ、前記受信データの受信と前記送信原稿の読取とを並行して実行する構成とした。
　この構成により、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。また、データをメモリ受信している最中であっても原稿の読込みを開始することができるため、オペレータの操作性も向上する。
　尚、読取データを蓄積するメモリと受信データを蓄積するメモリとは、別個に設けてもよいし、同一のメモリであってもよい。要は、第２のメモリ書込制御手段の動作中に第１のメモリ書込制御手段を動作させることのできるメモリ構成であればよい。」を
　「【課題を解決するための手段】　本発明は上記課題を解決するため、読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、を具備し，この第２のメモリ書込制御手段による受信データの記憶動作の実行中に操作パネルからの読取指示があった場合、前記第１のメモリ書込制御手段を動作させ、前記受信データの受信と前記送信原稿の読取とを並行して実行する構成とした。
　この構成により、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。また、データをメモリ受信している最中であっても原稿の読込みを開始することができるため、オペレータの操作性も向上する。
　尚、読取データを蓄積するメモリと受信データを蓄積するメモリとは、別個に設けてもよいし、同一のメモリであってもよい。要は、第２のメモリ書込制御手段の動作中に第１のメモリ書込制御手段を動作させることのできるメモリ構成であればよい。」と訂正する。
（５４）【発明の名称】
ファクシミリ装置
（５７）【特許請求の範囲】
１．読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、
を具備し、
による受信データの記憶動作の実行中に操作パネルからの読取指示があった場合、
【発明の詳細な説明】
　　　【０００１】
　　【発明の属する技術分野】
　本発明はファクシミリ装置に係り、特にファクシミリ装置を構成する読取部と記録部の処理効率を高めるファクシミリ装置に関する。
　　　【０００２】
　　【従来の技術】
　情報化社会の発展に伴い情報伝送の一手段として、記録の残るファクシミリ装置が多く使用されるようになってきた。
ファクシミリ装置は原稿を送信する場合、通信回線を介して相手ファクシミリ装置と接続されると、読取部に原稿をセットして読取らせ、相手ファクシミリ装置に送出する。又相手ファクシミリ装置から原稿を受信する場合、相手ファクシミリ装置から呼び出され、データが送られて来ると、記録部で記録するよう動作する。
　　　【０００３】
　　【発明が解決しようとする課題】
　しかし、ファクシミリ装置は通常原稿を読取って送信する読取部と、受信したデータを記録する記録部とを備えているが、送受信を行う場合には、一方が稼働中に他方が稼働することは無い。つまり、従来は送信する場合には、通常相手ファクシミリ装置からもデータが送られてくることは無く、記録部は遊んでいる。又相手ファクシミリ装置の読取部も遊んでおり、一対向のファクシミリ装置で見ると、読取部と記録部が遊んでいるという問題がある。
　本発明は、このような問題に鑑みてなされたものであり、読取用・記録用のメモリを設け、読取部と記録部とを同時に稼動させることを可能とし、ファクシミリ装置が送受信中であっても、読取部又は記録部とを動作させるようにし、ファクシミリ装置全体の利用効率を向上させることを目的とする。
　　　【０００４】
　　【課題を解決するための手段】
　本発明は上記課題を解決するため、読取手段と、この読取手段により送信原稿を読み取って得た送信データをメモリに記憶させる第１のメモリ書込制御手段と、受信手段と、この受信手段により受信した受信データをメモリに記憶させる第２のメモリ書込制御手段と、
を具備し、
による受信データの記憶動作の実行中に操作パネルからの読取指示があった場合、
　この構成により、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。
特に、受信データをメモリに記憶させている最中であっても、オペレータは、受信終了を待つことなく、操作パネルからの読取指示を行うことができるため、
　尚、読取データを蓄積するメモリと受信データを蓄積するメモリとは、別個に設けてもよいし、同一のメモリであってもよい。要は、第２のメモリ書込制御手段の動作中に第１のメモリ書込制御手段を動作させることのできるメモリ構成であればよい。
　　　【０００５】
　　【発明の実施の形態】
　本発明の一実施の形態に係るファクシミリ装置について、更に具体的に、図面を用いて説明する。
　図は本発明の一実施の形態に係るファクシミリ装置の要部ブロック図である。１は原稿を読取る読取部、２はファクシミリ装置にオベレータが指示を与える操作パネル部、３はファクシミリ装置全体を制御する制御部、４は受信したデータを記録する記録部、５は送信データを変調し、受信データを復調するモデム部である。６は原稿を読取る読取機構、７は読取った原稿、即ち送信するデータを記憶するメモリ、８は受信データを記録する記録機構、９は受信データ及び読取データを記憶するメモリである。そして１０と１１は夫々対向するファクシミリ装置を示す。読取部１では読取機構６が原稿から読取ったデータをメモリ７に格納し、記録部４ではメモリ９に受信データ、読取機構６が読取ったデータを格納し、記録機構８がメモリ９の内容を読出して記録することが可能な構成とする。
　　　【０００６】
　以上のような構成のファクシミリ装置の送信中の動作について説明する。
　図において、制御部３は操作パネル部２から入る指示に基づき、モデム部５の綱制御機能を制御して、通信回線を構築する。通信回線が構築されると制御部３は読取部１の読取機構６にセットされた原稿を読取らせる。
　直接送信する場合はモデム部５に送出する。モデム５はこの読取データ、即ち送信データを変調して送信する。
予め読取機構６に読取らせてメモリ７に蓄積してある送信データを送信する場合は、メモリ７から読出した送信データを制御部３、モデム５を経て送信する。上記送信動作中に制御部３は操作パネル部２からの指示により、記録部４を制御してメモリ９に蓄積された受信データを読出させ記録機構８に記録させる。メモリ７の送信データを送信中に、複写をしたい原稿があればオペレータは読取機構６に原稿をセットし、操作パネル部２から指示する。制御部３はこの指示に基づき読取機構６の読取るデータを記録部４の記録機構８に送り、複写を行わせる。
　　　【０００７】
　次に、受信中の動作について説明する。
　制御部３は相手ファクシミリ装置から呼び出され、受信データが送られてくると、通常は記録機構８に記録させる。オペレータは必要に応じて、操作パネル部２から制御部３に指示することにより、記録部４を制御して受信データをメモリ９に蓄積させる。
　ファクシミリ装置が回線と接続され、データの受信動作を実行している最中に操作パネル部２からの読取指示があった場合は、制御部３は読取機構６にセットされた原稿を読取らせ、メモリ７に蓄積させる。
　また、受信データをメモリ９に蓄積している最中に、複写をしたい原稿があればオペレータは読取機構６に原稿をセットし、操作パネル部２がら指示する。制御部３はこの指示に基づき読取機構６の読取るデータを記録部４の記録機構８に送り、複写を行わせる。逆に、複写動作中に相手ファクシミリ装置から呼び出され受信データが送られて来ると、制御部３は、記録部４を制御しこの受信データをメモリ９に格納する。
　また、受信データをメモリ９に蓄積している最中であっても、オペレータが必要に応じて操作パネル部２から制御部３に指示することで、制御部３は読取機構６にセットした原稿の読取データを記録部４のメモリ９に格納する。
　　　【０００８】
　本実施の形態によれば、以下の効果が得られる。
　第１に、読取機構６が原稿を読取りながら送信を行う場合、記録部４はメモリ９に蓄積してある受信データ、又は読取部１が読取ってメモリ９に記憶させたデータを読出し、記録機構８に記録させることが出来る。また、読取部１がメモリ７に蓄積したデータを読出して送信を実行中の場合に、読取機構６が読取るデータを記録機構８に送り読取と記録と同時に実行して複写を行うか、又はメモリ９に蓄積した受信データを読出して記録機構８を動作させ記録だけを実行することが出来る。
　　　【０００９】
　第２に、回線からデータを受信している場合でも、読取機構６が読取るデータを、送信データであればメモリ７に、複写データであればメモリ９に、それぞれ蓄積することが出来る。また、受信時に記録部４が受信データをメモリ９に蓄積している場合でも、読取機構６の読取るデータを、メモリ７に蓄積することもできるし、読取るデータを記録機構８に送り複写させることも出来る。逆に、読取機構６の読取るデータを記録機構８が複写中に受信データが送られて来た場合であっても、回線から取得したデータをメモリ９に蓄積することができ、複写動作を中止する必要が無いことは勿論である。
　　　【００１０】
　つまり、ファクシミリ装置を回線に接続して読取りデータの送信を実行している最中であっても、また、送信端末からのデータの受信を実行している最中であっても、回線制御と関係のない読取、記録のそれぞれの動作を、送信と並行して実行できることとなる。
　　　【００１１】
　　【発明の効果】
　以上の説明から明らかなように、本発明によれば、原稿を読み取って得たデータをメモリに記憶させる制御と、受信したデータをメモリに記憶させる制御とを分割して、同時に実行することができるようになる。従って、読取部と記録部との双方を同時に稼動させることができるため、読取部か記録部かのいずれか一方が遊んでいるという状態とならず、ファクシミリ装置の稼動効率が格段と向上する。
特に、受信データをメモリに記憶させている最中であっても、オペレータは、受信終了を待つことなく、操作パネルからの読取指示を行うことができるため、
【図面の簡単な説明】
　　【図１】
本発明の一実施の形態に係るファクシミリ装置の要部ブロック図
　　【符号の説明】
　１　読取部
　２　操作パネル部
　３　制御部
　４　記録部
　５　モデム部
　６　読取機構
　７　メモリ
　８　記録機構
　９　メモリ